(57)【要約】【課題】ワイヤーハーネスに対して保護ネットを容易に取り付けることが可能な技術を提供する。【解決手段】ワイヤーハーネス１０の周方向ＤＲ１において、ワイヤーハーネス１０の一部を、保護ネット２０で取り囲む。次に、保護ネット２０における、ワイヤーハーネスの延在方向ＤＲ２の一方の端部２１を、ワイヤーハーネス１０に固定する。次に、保護ネット２０を延在方向ＤＲ２に沿って伸ばす。次に、保護ネット２０が伸ばされた状態で、保護ネット２０における延在方向ＤＲ２の他方の端部２２を、ワイヤーハーネス１０に固定する。【選択図】図１
2017192182.tif 000002
【特許請求の範囲】
【請求項１】
ワイヤーハーネスに対する、伸縮性を有する保護ネットの取付方法であって、
（ａ）前記ワイヤーハーネスの周方向において、前記ワイヤーハーネスの一部を、前記保護ネットで取り囲む工程と、
（ｂ）前記工程（ａ）の後に、前記保護ネットにおける、前記ワイヤーハーネスの延在方向の一方の端部を、前記ワイヤーハーネスに固定する工程と、
（ｃ）前記工程（ｂ）の後に、前記保護ネットを前記延在方向に沿って伸ばす工程と、
（ｄ）前記工程（ｃ）の後に、前記保護ネットが伸ばされた状態で、前記保護ネットにおける、前記延在方向の他方の端部を、前記ワイヤーハーネスに固定する工程と
を備える、保護ネットの取付方法。
【請求項２】
請求項１に記載の保護ネットの取付方法であって、
前記一方の端部が前記ワイヤーハーネスに固定された、前記工程（ｃ）で伸ばされる前の前記保護ネットの網目においては、前記周方向の長さが前記延在方向の長さよりも大きい、保護ネットの取付方法。
【請求項３】
請求項１及び請求項２のいずれか一つに記載の保護ネットの取付方法であって、
前記工程（ａ）では、前記ワイヤーハーネスの前記一部に対して前記保護ネットが巻き付けられることによって、前記保護ネットが前記一部を前記周方向に取り囲む、保護ネットの取付方法。
【請求項４】
請求項３に記載の保護ネットの取付方法であって、
前記ワイヤーハーネスに巻き付けられた前記保護ネットの巻回方向での前記保護ネットの端部は、折り返されて接着されている、保護ネットの取付方法。
【請求項５】
請求項３及び請求項４のいずれか一つに記載の保護ネットの取付方法であって、
前記工程（ｃ）では、前記一方の端部が前記ワイヤーハーネスにテープ巻きで固定され、
前記工程（ｃ）では、前記一方の端部に対してテープが巻かれている最中に前記一方の端部に弛みが発生しないように、前記一方の端部に対してテープが巻かれる、保護ネットの取付方法。
【請求項６】
請求項５に記載の保護ネットの取付方法であって、
前記工程（ｄ）では、前記他方の端部が前記ワイヤーハーネスにテープ巻きで固定され、
前記工程（ｄ）では、前記他方の端部に対してテープが巻かれている最中に前記他方の端部に弛みが発生しないように、前記他方の端部に対してテープが巻かれる、保護ネットの取付方法。
【請求項７】
伸縮性を有する保護ネットと、
前記保護ネットが取り付けられたワイヤーハーネスと
を備え、
前記保護ネットは、前記ワイヤーハーネスの周方向において前記ワイヤーハーネスを取り囲むように、前記ワイヤーハーネスに取り付けられ、
前記保護ネットが前記延在方向に沿って伸ばされた状態で、前記保護ネットにおける、前記ワイヤーハーネスの延在方向の両端部が、前記ワイヤーハーネスに固定されている、保護ネット付きワイヤーハーネス。
【発明の詳細な説明】
【技術分野】
【０００１】
本発明は、ワイヤーハーネスを保護する保護ネットに関する。
【背景技術】
【０００２】
特許文献１，２には、ワイヤーハーネスを保護する保護ネットが開示されている。
【先行技術文献】
【特許文献】
【０００３】
【特許文献１】特開２０１１−２３４５８４号公報
【特許文献２】特開２０１２−２２８１４５号公報
【発明の概要】
【発明が解決しようとする課題】
【０００４】
特許文献１，２に記載の技術では、ワイヤーハーネスの広い範囲を保護ネットで保護する場合には、長い保護ネットが必要となる。長い保護ネットをワイヤーハーネスに取り付けることは容易ではない。
【０００５】
そこで、本発明は上述の点に鑑みて成されたものであり、ワイヤーハーネスに対して保護ネットを容易に取り付けることが可能な技術を提供することを目的とする。
【課題を解決するための手段】
【０００６】
第１の態様に係る保護ネットの取付方法は、ワイヤーハーネスに対する、伸縮性を有する保護ネットの取付方法であって、（ａ）前記ワイヤーハーネスの周方向において、前記ワイヤーハーネスの一部を、前記保護ネットで取り囲む工程と、（ｂ）前記工程（ａ）の後に、前記保護ネットにおける、前記ワイヤーハーネスの延在方向の一方の端部を、前記ワイヤーハーネスに固定する工程と、（ｃ）前記工程（ｂ）の後に、前記保護ネットを前記延在方向に沿って伸ばす工程と、（ｄ）前記工程（ｃ）の後に、前記保護ネットが伸ばされた状態で、前記保護ネットにおける、前記延在方向の他方の端部を、前記ワイヤーハーネスに固定する工程とを備える。
【０００７】
第２の態様に係る保護ネットの取付方法は、第１の態様に係る保護ネットの取付方法であって、前記一方の端部が前記ワイヤーハーネスに固定された、前記工程（ｃ）で伸ばされる前の前記保護ネットの網目においては、前記周方向の長さが前記延在方向の長さよりも大きい。
【０００８】
第３の態様に係る保護ネットの取付方法は、第１及び第２の態様のいずれか一つに係る保護ネットの取付方法であって、前記工程（ａ）では、前記ワイヤーハーネスの前記一部に対して前記保護ネットが巻き付けられることによって、前記保護ネットが前記一部を前記周方向に取り囲む。
【０００９】
第４の態様に係る保護ネットの取付方法は、第３の態様に係る保護ネットの取付方法であって、前記ワイヤーハーネスに巻き付けられた前記保護ネットの巻回方向での前記保護ネットの端部は、折り返されて接着されている。
【００１０】
第５の態様に係る保護ネットの取付方法は、第３及び第４の態様のいずれか一つに係る保護ネットの取付方法であって、前記工程（ｃ）では、前記一方の端部が前記ワイヤーハーネスにテープ巻きで固定され、前記工程（ｃ）では、前記一方の端部に対してテープが巻かれている最中に前記一方の端部に弛みが発生しないように、前記一方の端部に対してテープが巻かれる。
【００１１】
第６の態様に係る保護ネットの取付方法は、第５の態様に係る保護ネットの取付方法であって、前記工程（ｄ）では、前記他方の端部が前記ワイヤーハーネスにテープ巻きで固定され、前記工程（ｄ）では、前記他方の端部に対してテープが巻かれている最中に前記他方の端部に弛みが発生しないように、前記他方の端部に対してテープが巻かれる。
【００１２】
第７の態様に係る保護ネット付きワイヤーハーネスは、伸縮性を有する保護ネットと、前記保護ネットが取り付けられたワイヤーハーネスとを備え、前記保護ネットは、前記ワイヤーハーネスの周方向において前記ワイヤーハーネスを取り囲むように、前記ワイヤーハーネスに取り付けられ、前記保護ネットが前記延在方向に沿って伸ばされた状態で、前記保護ネットにおける、前記ワイヤーハーネスの延在方向の両端部が、前記ワイヤーハーネスに固定されている。
【発明の効果】
【００１３】
第１乃至第６の態様によれば、ワイヤーハーネスに対して一方の端部が固定された伸縮性を有する保護ネットが伸ばされた後、当該保護ネットの他方の端部がワイヤーハーネスに固定されるため、ワイヤーハーネスの広い範囲に対して保護ネットを容易に取り付けることができる。
【００１４】
特に第２の態様によれば、伸ばされる前の保護ネットの網目における、ワイヤーハーネスの周方向の長さが、当該網目における、ワイヤーハーネスの延在方向の長さよりも大きいため、保護ネットをワイヤーハーネスの延在方向に伸ばしやすくなる。よって、保護ネットがさらに取り付けやすくなる。
【００１５】
特に第３の態様によれば、ワイヤーハーネスの一部に対して保護ネットが巻き付けられることから、予め筒状に形成された保護ネットにワイヤーハーネスを通す場合と比較して、ワイヤーハーネスの一部を保護ネットで容易に取り囲むことができる。
【００１６】
特に第４の態様によれば、保護ネットの巻回方向での端部が、折り返されて接着されていることから、保護ネットがほつれにくくなる。
【００１７】
特に第５の態様によれば、保護ネットの一方の端部に対してテープが巻かれている最中に当該一方の端部に弛みが発生しないように、当該一方の端部に対してテープが巻かれる。これにより、保護ネットが延在方向に沿って均等に伸びやすくなる。その結果、ワイヤーハーネスを適切に保護することができる。
【００１８】
特に第６の態様によれば、保護ネットの他方の端部に対してテープが巻かれている最中に当該他方の端部に弛みが発生しないように、当該他方の端部に対してテープが巻かれる。これにより、保護ネットにおける、テープが巻かれない部分を、ワイヤーハーネスに対してしっかりと巻き付けることができる。
【００１９】
また第７の態様によれば、第１の態様に係る保護ネットの取付方法を使用して、保護ネット付きワイヤーハーネスを得ることができる。そのため、保護ネット付きワイヤーハーネスを得る際に、ワイヤーハーネスの広い範囲に対して保護ネットを容易に取り付けることができる。
【図面の簡単な説明】
【００２０】
【図１】保護ネット付きワイヤーハーネスを示す図である。
【図２】保護ネットを示す図である。
【図３】保護ネットを示す図である。
【図４】ワイヤーハーネスに対する保護ネットの取付方法を示す図である。
【図５】ワイヤーハーネスに対する保護ネットの取付方法を示す図である。
【図６】ワイヤーハーネスに対する保護ネットの取付方法を示す図である。
【図７】ワイヤーハーネスに対する保護ネットの取付方法を示す図である。
【図８】ワイヤーハーネスに対する保護ネットの取付方法を示す図である。
【図９】ワイヤーハーネスに対する保護ネットの取付方法を示す図である。
【発明を実施するための形態】
【００２１】
＜保護ネット付きワイヤーハーネスの構成＞
図１は保護ネット付きワイヤーハーネス１の一例を示す図である。保護ネット付きワイヤーハーネス１では、ワイヤーハーネス１０に対して保護ネット２０が取り付けられている。保護ネット付きワイヤーハーネス１は、例えば、自動車等の車両内に配置される。ワイヤーハーネス１０は、例えば複数の電線１１で構成される。ワイヤーハーネス１０は一つの電線１１で構成されても良い。
【００２２】
保護ネット２０は、ワイヤーハーネス１０の少なくとも一部を保護する部材である。保護ネット２０は、ワイヤーハーネス１０の周方向ＤＲ１においてワイヤーハーネス１０を取り囲むように、ワイヤーハーネス１０に取り付けられている。保護ネット２０は、ワイヤーハーネス１０の保護すべき範囲を覆う。例えば、ワイヤーハーネス１０が車両内に配置される場合、ワイヤーハーネス１０において、車両内の他の部品と干渉する範囲を、保護ネット２０が覆う。
【００２３】
保護ネット２０は伸縮性を有している。保護ネット２０は、ワイヤーハーネス１０の延在方向ＤＲ２に沿って伸ばされた状態で、保護ネット２０における、当該延在方向ＤＲ２の両端部がワイヤーハーネス１０に固定されている。保護ネット２０の延在方向ＤＲ２の一方の端部２１及びワイヤーハーネス１０に対してテープ３０が巻かれている。これにより、一方の端部２１は、ワイヤーハーネス１０に対してテープ３０で固定される。また、保護ネット２０の延在方向ＤＲ２の他方の端部２２及びワイヤーハーネス１０に対してテープ４０が巻かれている。これにより、他方の端部２２は、ワイヤーハーネス１０に対してテープ４０で固定される。
【００２４】
＜保護ネットの詳細＞
図２はワイヤーハーネス１０に取り付けられる前の初期状態の保護ネット２０を示す図である。図２に示されるように、保護ネット２０は、例えばシート状部材である。保護ネット２０の材料は、例えば樹脂である。保護ネット２０を形成する樹脂としては、例えばポリプロピレンが採用される。保護ネット２０は、複数の線部２３が網目状に交差して形成されている。複数の線部２３が交差する交差点２４は接着されている。交差点２４は例えば熱接着（融着）されている。保護ネット２０の網目２５の形状は、例えばひし形である。初期状態の保護ネット２０の網目２５では、一方の対角線１２０が他方の対角線１２１よりも長くなっている。本例では、線部２３の太さは、網目２５のひし形の各辺が弛みにくい太さなっている。網目２５の形状はひし形以外であって良い。以後、対角線１２０の延在方向に沿った方向を第１方向ＤＲ１１と呼び、対角線１２１の延在方向に沿った方向を第２方向ＤＲ１２と呼ぶ。
【００２５】
保護ネット２０における第１方向ＤＲ１１の両端部のそれぞれは、折り返されて接着されている。これにより、保護ネット２０がほつれにくくなっている。保護ネット２０における第１方向ＤＲ１１の両端部のそれぞれは、折り返されて、当該保護ネット２０の他の部分に対して、例えば熱接着（融着）されている。図２では、折り返される前の端部が二点鎖線で示されている。また図２では、接合されている部分２６が他の部分よりも太い線で示されている。
【００２６】
図３は、保護ネット２０における第２方向ＤＲ１２の両端部のそれぞれが、第２方向ＤＲ１２に沿って外側に向けて引っ張られた状態の保護ネット２０を示す図である。初期状態の保護ネット２０における第２方向ＤＲ１２の両端部のそれぞれが、矢印２００に示されるように、第２方向ＤＲ１２に沿って外側に向けて引っ張られると、保護ネット２０では、第２方向ＤＲ１２の長さが大きくなり、第１方向ＤＲ１１の長さが小さくなる。つまり、保護ネット２０は、第２方向ＤＲ１２に沿って伸びるとともに、第１方向ＤＲ１１に沿って縮む。これにより、保護ネット２０の網目２５では、対角線１２０が短くなり、対角線１２１が長くなる。
【００２７】
初期状態の保護ネット２０に関して、例えば、保護ネット２０の第１方向ＤＲ１１の長さが７０ｍｍ、網目２５の対角線１２０の長さ７ｍｍ、端部の折り返し幅が７ｍｍであるとする。この場合、保護ネット２０における第２方向ＤＲ１２の両端部のそれぞれが第２方向ＤＲ１２に沿って外側に向けて引っ張られると、例えば、保護ネット２０の第２方向ＤＲ１２の長さは最大で元の２００％伸び、保護ネット２０の第１方向ＤＲ１１の長さは最大で元の３０％縮む。
【００２８】
なお、保護ネット２０は、図３に示される状態から、引っ張られなくなった状態に変化した場合には、図２に示される初期状態に戻ろうとして、第２方向ＤＲ１２に沿って縮むとともに第１方向ＤＲ１１に沿って伸びるものの、初期状態まで完全に戻るとは限られない。
【００２９】
＜ワイヤーハーネスに対する保護ネットの取付方法＞
図４〜７は、ワイヤーハーネス１０に対する保護ネット２０の取付方法を示す図である。まず図４に示されるように、ワイヤーハーネス１０における、保護ネット２０の取付範囲１００に対して、初期状態の保護ネット２０が巻き付けられる。これにより、ワイヤーハーネス１０の一部が、周方向ＤＲ１において、保護ネット２０で取り囲まれる。保護ネット２０は、例えば、取付範囲１００に対して１周以上巻き付けられる。
【００３０】
保護ネット２０は、網目２５の対角線１２１が延在方向ＤＲ２に沿うように、取付範囲１００に対して巻き付けられる。言い換えれば、保護ネット２０は、網目２５の対角線１２０が周方向ＤＲ１に沿うように、取付範囲１００に対して巻き付けられる。ワイヤーハーネス１０に巻き付けられた保護ネット２０では、その巻回方向の両端部のそれぞれが、折り返されて接着されている。
【００３１】
さらに、保護ネット２０は、当該保護ネット２０における第２方向ＤＲ１２の一方の端部２１が、取付範囲１００における延在方向ＤＲ２の一方の端部に位置するように、取付範囲１００に対して巻き付けられる。
【００３２】
次に図５に示されるように、取付範囲１００に巻き付けられた保護ネット２０の端部２１を、ワイヤーハーネス１０に対して、例えばテープ巻きで固定する。この端部２１は、取付範囲１００に巻き付けられた保護ネット２０における延在方向ＤＲ２の一方の端部と言える。保護ネット２０の端部２１及びワイヤーハーネス１０に対してテープ３０が巻かれることによって、端部２１がワイヤーハーネス１０に固定される。
【００３３】
次に図６に示されるように、保護ネット２０における延在方向ＤＲ２の他方の端部２２が、取付範囲１００における延在方向ＤＲ２の他方の端部に位置するまで、保護ネット２０を延在方向ＤＲ２に沿って伸ばす。
【００３４】
次に図７に示されるように、保護ネット２０が伸ばされた状態で、保護ネット２０の他方の端部２２を、ワイヤーハーネス１０に対して、例えばテープ巻きで固定する。保護ネット２０の端部２２及びワイヤーハーネス１０に対してテープ４０が巻かれることによって、端部２２がワイヤーハーネス１０に固定される。これにより、ワイヤーハーネス１０に対する保護ネット２０の取り付けが完了し、上述の図１に示される保護ネット付きワイヤーハーネス１０が得られる。
【００３５】
なお上記の例では、ワイヤーハーネス１０の一部を周方向ＤＲ１に保護ネット２０で取り囲む際には、ワイヤーハーネス１０の一部に保護ネット２０を巻き付けているが、予め筒状に形成された保護ネット２０に対してワイヤーハーネス１０を通しても良い。長いワイヤーハーネス１０に保護ネット２０を巻き付ける方が、予め筒状に形成された保護ネット２０に対して長いワイヤーハーネス１０を通すよりも、作業が容易となり、ワイヤーハーネス１０を保護ネット２０で容易に取り囲むことができる。
【００３６】
また、ワイヤーハーネス１０の複数の電線１１に対してテープを荒巻等で巻いた後に、上記のようにして保護ネット２０をワイヤーハーネス１０に取り付けても良い。
【００３７】
以上のように、保護ネット２０をワイヤーハーネス１０に取り付ける際には、ワイヤーハーネス１０に対して一方の端部２１が固定された伸縮性を有する保護ネット２０が延在方向ＤＲ２に伸ばされた後、保護ネット２０の他方の端部２２がワイヤーハーネス１０に固定される。これにより、伸縮性の無い長い保護ネットをワイヤーハーネス１０に取り付ける場合と比較して、ワイヤーハーネス１０の広い範囲に対して保護ネット２０を容易に取り付けることができる。
【００３８】
また、図１に示される保護ネット付きワイヤーハーネス１について言えば、上記の図４〜７に示される保護ネット２０の取付方法を使用して、保護ネット付きワイヤーハーネス１を得ることができる。したがって、保護ネット付きワイヤーハーネス１を得る際に、ワイヤーハーネス１０の広い範囲に対して保護ネット２０を容易に取り付けることができる。
【００３９】
また、保護ネット２０を伸ばす量を調整することによって、ワイヤーハーネス１０の取付範囲１００を容易に調整することができる。
【００４０】
また、上記の図３に示されるように、保護ネット２０が第２方向ＤＲ１２に沿って伸びる場合には、保護ネット２０は第１方向ＤＲ１１に沿って縮む。そのため、ワイヤーハーネス１０を取り囲む保護ネット２０が、延在方向ＤＲ２に沿って伸ばされる場合には、ワイヤーハーネス１０を取り囲む保護ネット２０の内径が小さくなろうとする。したがって、本例のように、保護ネット２０が、延在方向ＤＲ２に沿って伸ばされた状態でワイヤーハーネス１０に固定されることによって、保護ネット２０が、ワイヤーハーネス１０の複数の電線１１を束ねる力が大きくなる。その結果、複数の電線１１がばらけることを抑制することができる。
【００４１】
また上記の例では、図５に示される保護ネット２０の網目２５においては、周方向ＤＲ１の長さが、延在方向ＤＲ２の長さよりも大きくなっている。つまり、一方の端部２１がワイヤーハーネス１０に固定された、伸ばされる前の保護ネット２０の網目２５においては、周方向ＤＲ１の長さが、延在方向ＤＲ２の長さよりも大きくなっている。これにより、保護ネット２０を延在方向ＤＲ２に伸ばしやすくなる。よって、ワイヤーハーネス１０に対して保護ネット２０がさらに取り付けやすくなる。
【００４２】
なお、図６に示されるように、保護ネット２０の端部２１がワイヤーハーネス１０にテープ巻きで固定される場合には、端部２１に対してテープ３０が巻かれている最中に端部２１に弛みが発生しないように、端部２１に対してテープ３０が巻かれても良い。図８はこの様子を示す図である。図８には、延在方向ＤＲ２から見た場合における、端部２１にテープ３０が巻かれる様子が示されている。図８では、ワイヤーハーネス１０が簡略的に円で示されており、保護ネット２０には斜線が示されている。
【００４３】
これに対して、端部２１に対してテープ３０が巻かれている最中に端部２１に弛みが発生すると、図９に示されるように、弛んだ部分２５０が折れ曲がって他の部分と重なるように端部２１がワイヤーハーネス１０に固定される可能性がある。保護ネット２０において、弛んだ部分２５０が折れ曲がって他の部分と重なっている箇所は、延在方向ＤＲ２に沿って伸びにくくなる。そのため、図９のように端部２１がワイヤーハーネス１０に固定されると、保護ネット２０が延在方向ＤＲ２に沿って均等に伸びにくくなる。
【００４４】
これに対して、図８のように、端部２１に対してテープ３０が巻かれている最中に端部２１に弛みが発生しないように、端部２１に対してテープ３０が巻かれる場合には、端部２１がワイヤーハーネス１０に固定された後、保護ネット２０を延在方向ＤＲ２に沿って均等に伸ばしやすくなる。よって、ワイヤーハーネス１０の保護すべき部分において、保護ネット２０によって保護されない箇所が生じることを抑制できる。その結果、ワイヤーハーネス１０を適切に保護することができる。
【００４５】
また、端部２１に対してテープ３０が巻かれている最中に端部２１に弛みが発生する場合であっても、端部２１に対してはテープ３０が巻かれることから、端部２１をワイヤーハーネス１０に対してしっかりと巻き付けることができる。
【００４６】
一方で、保護ネット２０における、テープ３０，４０が巻かれない部分では、図９のように端部２１がワイヤーハーネス１０に固定された場合、弛みが発生して、当該部分がワイヤーハーネス１０にしっかりと巻き付けらない可能性がある。その結果、保護ネット２０がワイヤーハーネス１０の複数の電線１１を束ねる力が小さくなる可能性がある。
【００４７】
図８に示されるように、端部２１に対してテープ３０が巻かれている最中に端部２１に弛みが発生しないように、端部２１に対してテープ３０が巻かれる場合には、保護ネット２０における、テープ３０，４０が巻かれない部分に、弛みが発生することを抑制することができることから、当該部分をワイヤーハーネス１０に対してしっかりと巻き付けることができる。よって、保護ネット２０がワイヤーハーネス１０の複数の電線１１を束ねる力が大きくなる。その結果、複数の電線１１がばらけることを抑制することができる。
【００４８】
なお、図７に示されるように、端部２２に対してテープ４０が巻かれる場合には、端部２２に対してテープ４０が巻かれている最中に端部２２に弛みが発生しないように、端部２２に対してはテープ４０が巻かれても良い。この場合には、保護ネット２０における、テープ３０，４０が巻かれない部分に弛みが発生することをさらに抑制することができることから、当該部分をワイヤーハーネス１０に対してさらにしっかりと巻き付けることができる。よって、複数の電線１１がばらけることをさらに抑制することができる。
【００４９】
以上のように、保護ネット付きワイヤーハーネス１、ワイヤーハーネス１０及び保護ネット２０は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【００５０】
１  保護ネット付きワイヤーハーネス
１０  ワイヤーハーネス
２０  保護ネット
２１，２２  端部
２５  網目
３０，４０  テープ
【図１】
2017192182.tif 000003
【図２】
2017192182.tif 000004
【図３】
2017192182.tif 000005
【図４】
2017192182.tif 000006
【図５】
2017192182.tif 000007
【図６】
2017192182.tif 000008
【図７】
2017192182.tif 000009
【図８】
2017192182.tif 000010
【図９】
2017192182.tif 000011